(57)【要約】【課題】各種の異なる形状の機械部品への使用に適合し、機械部品と安定した組合せが形成できるスパナ用の駆動ヘッドを提供する。【解決手段】スパナ用の駆動ヘッドであって、主に当該駆動ヘッドは第１端、第２端及び第１端から第２端まで延長した中心縦軸を有し、当該駆動ヘッドは第１端に中心縦軸の延長に沿って凹型のセット穴が設置されており、そのセット穴の周囲壁上には嵌込み槽が設置されている。また隣り合う嵌込み槽の間には制御面が形成されている。且つ当該制御面中央部分は窪みが形成され、当該窪みは少なくとも1つの円弧形状で構成されている。【選択図】図１
0003126804.tif 000002
【実用新案登録請求の範囲】
【請求項１】
１種のスパナ用の駆動ヘッドであって、当該駆動ヘッドは以下の構成を含み、
２個の異なる方向の端部及び当該２端に延長接続した中心縦軸を有し、
当該駆動ヘッドの少なくとも１当該端部に当該縦軸に沿って深く入り込んだセット穴が設置されており、
当該セット穴を機械部品組合せに提供し、
当該セット穴の内壁上には複数個の嵌込み槽が等間隔で設置されており、
それぞれの嵌込み槽の長さ延長方向は当該中心縦軸と平行であり、
隣り合う当該嵌込み槽の間には制御面が形成されており、
当該制御面は当該嵌込み槽より当該縦軸に接近していて、
しかもそれぞれの当該制御面上の中央位置には１つの窪みが設置されており、
当該窪みの長さ延長方向も当該中心縦軸と平行であり、
当該窪みは少なくとも１つの弧面で構成されており、
当該機械部品の突起部位を収容するに足りるスパナ用の駆動ヘッド。
【請求項２】
請求項1に記載のスパナ用の駆動ヘッドにおいて、そのうちのそれぞれ当該窪みはそれぞれの当該制御面を２つの相互対称する半部に区分していることを特徴とするスパナ用の駆動ヘッド。
【請求項３】
請求項１に記載のスパナ用の駆動ヘッドにおいて、そのうちの当該嵌込み槽の最低部は当該窪みの最低部より当該中心軸線から離れていることを特徴とするスパナ用の駆動ヘッド。
【請求項４】
請求項１に記載のスパナ用の駆動ヘッドにおいて、そのうちの当該駆動ヘッドは筒金で、当該筒金の１端部には当該セット穴が設置されていることを特徴とするスパナ用の駆動ヘッド。
【請求項５】
請求項３に記載のスパナ用の駆動ヘッドにおいて、そのうちの当該筒金の別の１端部には四辺形の凹穴が設置されていることを特徴とするスパナ用の駆動ヘッド。
【請求項６】
請求項３に記載のスパナ用の駆動ヘッドにおいて、そのうちの当該筒金の別の１端部には多辺柱体が設置されていることを特徴とするスパナ用の駆動ヘッド。
【請求項７】
請求項１に記載のスパナ用の駆動ヘッドにおいて、そのうちの当該制御面は平面であることを特徴とするスパナ用の駆動ヘッド。
【請求項８】
請求項１に記載のスパナ用の駆動ヘッドにおいて、そのうちの当該制御面は弧形面であることを特徴とするスパナ用の駆動ヘッド。
【請求項９】
請求項１に記載のスパナ用の駆動ヘッドにおいて、そのうちの当該嵌込み槽底面は弧形面であることを特徴とするスパナ用の駆動ヘッド。
【請求項１０】
請求項１に記載のスパナ用の駆動ヘッドにおいて、そのうちの当該制御面は弧形面であり、当該嵌込み槽の底面も弧形面であり、当該２個の弧形面は相互切断していることを特徴とするスパナ用の駆動ヘッド。
【請求項１１】
請求項１に記載のスパナ用の駆動ヘッドにおいて、そのうちの窪みの弧面は円弧面であることを特徴とするスパナ用の駆動ヘッド。
【請求項１２】
請求項１に記載のスパナ用の駆動ヘッドにおいて、そのうちの窪みの底面は楕円弧面であることを特徴とするスパナ用の駆動ヘッド。
【請求項１３】
請求項１に記載のスパナ用の駆動ヘッドにおいて、そのうちの窪みの底面は放物線弧面であることを特徴とするスパナ用の駆動ヘッド。
【請求項１４】
請求項１に記載のスパナ用の駆動ヘッドにおいて、そのうちの当該制御面と当該窪みの接続場所には円角を有していることを特徴とするスパナ用の駆動ヘッド。
【請求項１５】
請求項１に記載のスパナ用の駆動ヘッドにおいて、そのうちの当該窪みは２個の相互に交わる弧面で構成されていることを特徴とするスパナ用の駆動ヘッド。
【請求項１６】
請求項１に記載のスパナ用の駆動ヘッドにおいて、そのうちの当該窪み中央位置には更に深く入り込んだ第２窪みが設置されていて、当該窪みの長さ延長方向は当該中心縦軸と平行であることを特徴とするスパナ用の駆動ヘッド。
【請求項１７】
請求項１６に記載のスパナ用の駆動ヘッドにおいて、そのうちの当該窪みと当該第２窪みの底面は全て円弧面で、当該窪みの円周率は当該第２窪みの円周率より大きいことを特徴とするスパナ用の駆動ヘッド。
【請求項１８】
請求項１に記載のスパナ用の駆動ヘッドにおいて、当該スパナ口部分の構造を改良して、そのうちの駆動ヘッドをつめ車とし、当該つめ車の１端部に当該セット穴を設置することを特徴とするスパナ用の駆動ヘッド。
【請求項１９】
請求項１に記載のスパナ用の駆動ヘッドにおいて、そのうちの当該駆動ヘッドの１側面を延長させて１個の取っ手とすることを特徴とするスパナ用の駆動ヘッド。
【請求項２０】
請求項１９に記載のスパナ用の駆動ヘッドにおいて、そのうちの当該取っ手部の滅の１端部に別の駆動ヘッドを設置することを特徴とするスパナ用の駆動ヘッド。
【考案の詳細な説明】
【技術分野】
【０００１】
本考案は１種のスパナ用の駆動ヘッドに係り、特に１種のセット穴を有しているものを指し、且つセット穴に嵌込み槽、制御面及び窪みを配合設置して、各種の異なる形状の機械部品への組合わせ使用に提供できる駆動ヘッドに関するものである。
【背景技術】
【０００２】
周知している慣用の各種形状の機械部品に組合せ可能な駆動ヘッド構造は、図14に示すアメリカ特許3,354,757、アメリカ特許3,657,516及びアメリカ特許5,388,486のように、この3件の特許案の主要な構造は、駆動ヘッドに1つのセット穴が成型されていて、当該セット穴内壁面には12個の凸部が設置されており、隣り合わせる凸部間には適切な間隔がある。これにより、当該セット穴は凸部を通じて多種形状の機械部品、例えば歯車、六角柱形状等の機械部品と組合わせることができ、各種機械部品への適用性を増進させている。これがこの3件特許案の主要メリットであるが、この3件のアメリカ特許案は、回転時に以下の欠点がある。
【特許文献１】アメリカ特許3,354,757
【特許文献２】アメリカ特許3,657,516
【特許文献３】アメリカ特許5,388,486
【考案の開示】
【考案が解決しようとする課題】
【０００３】
これらセット穴の壁面に設置されている12個の凸部の設計は多種形状の機械部品を回転できるが、一般的に市場で最もよく見かける機械部品のヘッド部分は殆どが六角柱形状の規格であり、手動工具の駆動ヘッドで六角形機械部品を回転させる比率が相当に高く、その他形状の機械部品比率は相当に低い。12個の凸部で六角形の機械部品を回転させる場合、図9に示すアメリカ特許23,354,757のように、そのうちの2個の凸部の頭端で六角柱形機械部品の1辺を押さえることになり、頂点を抑える時に比較的多くの間隔が生じることで回転時にトルクの損失が生じる。これが上述3件のアメリカ特許案の欠点である。
【課題を解決するための手段】
【０００４】
本考案の主要目的は、1種の多種異なる形状の機械部品に適用でき、且つ組合せ安定性を向上させるスパナ用の駆動ヘッドを提供することである。その構造は当該駆動ヘッドにはセット穴があり、セット穴の内壁面に嵌込み槽を配し、隣り合う嵌込み槽間で制御面を形成している。
【考案の効果】
【０００５】
本考案の主要な特徴は、当該制御面上に窪みを形成し、当該窪みは少なくとも１つの円弧で構成され、各種の異なる形状の機械部品への組合せ使用が提供でき、機械部品形状と安定した組合せを行うことができる。
【考案を実施するための最良の形態】
【０００６】
図1に示すように、本創作は1種のスパナ駆動ヘッドで、当該駆動ヘッド10は2個の反対方向の端部及び延長して当該2端部に接続する中心縦軸を有し、当該駆動部10は少なくとも1個の当該端部に当該縦軸に沿って深く入り込んだセット穴100を有している。当該セット穴100は機械部品組合せに提供し、当該セット穴100の内壁には複数個の等距離間隔で長嵌込み槽12が設置されている。当該嵌込み槽12の長さ延長方向は当該縦軸と平行で、隣り合う当該嵌込み槽12の間で、1つの制御面11を形成している。当該制御面11は当該嵌込み槽12より当該縦軸に接近しており、少なくとも当該制御面11上の中央位置に長窪み13が設置されている。当該長窪み13の長さ延長方向と当該縦軸は平行であり、当該窪み13は当該機械部品の尖端突起部位を収容するに足りる。図1及び図1aに示す実施例のうち、当該駆動ヘッド10は1つの筒金で、当該筒金の1端部にはセット穴100が設置されており、別の1端部には四辺形の凹穴14が設置されて、その他工具との組合せに提供される。且つそれぞれの当該制御面11上には1つの当該長窪み13が設置されている。そのうち、当該制御面11は平面にできるが、図1に示す当該制御面11は弧形面を成している。図1は更に嵌込み槽壁面が弧形面を成して、当該制御面11は弧形面であり、当該2つの弧形面は相互に切断している。
【０００７】
図2に示す窪みの底面は円弧面で、円角端31を有する機械部品30に合わせて使用できる。図3、4に示す嵌込み槽12の壁面は弧形面で、円角端31を有する機械部品30に合わせて使用できるだけではなく、多辺面を有する柱状機械部品20の使用にも提供できる。図5、6、7、8に示すように、その嵌込み槽12が窪み13に配合する場合、図5に示すような複数突起歯41を有する機械部品40の使用、図6に示すような八辺形柱状機械部品50への使用、図7に示すような四辺形柱状機械部品52への使用、図8に示すような星形機械部品53への使用、図9に示すような九辺形柱状機械部品54への使用、図10に示すような三辺形柱状機械部品55への使用に配合できる。
【０００８】
図11は、当該制御面11と当該窪み13が隣合う場所には円角131を有していることを示している。
【０００９】
図12は、当該駆動部10が筒金の場合、当該筒金の1端部に当該セット穴100を設置して、当該筒金の別の1端部に多辺柱体15を設置して、その他工具との組合せに提供できることを示している。
【００１０】
図13は、当該窪み13の底面が楕円弧面であることを示している。図14、15は窪み13の底面が放物線弧面であることを示し、図15に示すような円角端31を有する機械部品30に配合して使用できることを示している。
【００１１】
図16は、当該窪み13が2つの交わる弧面131と132で構成されていることを示し、且つ当該の2つの弧面131及び132は円弧面であることを示している。
【００１２】
図17は、当該窪み13の中央部に更に深く入り込んだ第2の長窪み130を設置し、当該第2窪み130の長さ延長方向は当該縦軸と平行であり、且つ当該窪み13と当該第2窪み130の底面は全て円弧面であり、当該窪み13の円周率は当該第2窪み130の円周率より大きいことを示している。
【００１３】
図18は、当該駆動ヘッド10はつめ車であり、当該つめ車の1端部に当該セット穴100を設置し、その外周面に複数個のつめ歯16を設置して、つめ車スパナの使用に提供できることを示している。
【００１４】
図19は、当該駆動ヘッド10の1側面に1つの取っ手部17を延長させ、一般の手動スパナにする事を示している。
【００１５】
図20は、窪み13の両端にそれぞれ制御面11と接続して弧面が接続し、制御面11に多数個の弧面を持たせ、多種異なる形状の機械部品組合せの使用に提供できることを示している。
【００１６】
図21は、制御面11は平面であり、且つ6個の制御面11を有し、六辺形柱状機械部品20の使用に完全に配合できることを示している。
【図面の簡単な説明】
【００１７】
【図１】本考案を筒金とした実施例の説明図である。
【図１ａ】図1の正面図である。
【図２】本考案と機械部品の組合せの説明図である。
【図３】本考案と機械部品の組合せの説明図である。
【図４】本考案と機械部品の組合せの説明図である。
【図５】本考案と機械部品の組合せの説明図である。
【図６】本考案と機械部品の組合せの説明図である。
【図７】本考案と機械部品の組合せの説明図である。
【図８】本考案と機械部品の組合せの説明図である。
【図９】本考案と機械部品の組合せの説明図である。
【図１０】本考案の別の実施例における部分的拡大図である。
【図１１】本考案の別の実施例における部分的拡大図である。
【図１２】本考案の別の実施例における部分的拡大図である。
【図１３】本考案の別の実施例における部分的拡大図である。
【図１４】本考案の別の実施例における部分的拡大図である。
【図１５】本考案と機械部品の組合せの説明図である。
【図１６】本考案の別の実施例における部分的拡大図である。
【図１７】本考案の別の実施例における部分的拡大図である。
【図１８】本考案の別の実施例の説明図である。
【図１９】本考案の別の実施例の説明図である。
【図２０】本考案と機械部品の組合せの説明図である。
【図２１】本考案と機械部品の組合せの説明図である。
【符号の説明】
【００１８】
10  駆動部
100 セット穴
11  制御面
12  嵌込み槽
13,130  窪み
131,132  弧面
14  凹穴
15  多辺柱体
16  つめ歯
17 取っ手部
20  機械部品
30  機械部品
31  円角端
40  機械部品
41  突起歯
50  機械部品
52  機械部品
53  機械部品
54  機械部品
55  機械部品
【図１】
0003126804.tif 000003
【図１ａ】
0003126804.tif 000004
【図２】
0003126804.tif 000005
【図３】
0003126804.tif 000006
【図４】
0003126804.tif 000007
【図５】
0003126804.tif 000008
【図６】
0003126804.tif 000009
【図７】
0003126804.tif 000010
【図８】
0003126804.tif 000011
【図９】
0003126804.tif 000012
【図１０】
0003126804.tif 000013
【図１１】
0003126804.tif 000014
【図１２】
0003126804.tif 000015
【図１３】
0003126804.tif 000016
【図１４】
0003126804.tif 000017
【図１５】
0003126804.tif 000018
【図１６】
0003126804.tif 000019
【図１７】
0003126804.tif 000020
【図１８】
0003126804.tif 000021
【図１９】
0003126804.tif 000022
【図２０】
0003126804.tif 000023
【図２１】
0003126804.tif 000024